(57)【要約】【課題】歩行や走行中にユーザの任意のタイミングで、その時の歩行や走行のピッチをベースピッチとして設定し、ベースピッチを報知する。【解決手段】加速度センサ１６０は、加速度に関する加速度情報を検出する。走行検出部１５０は、加速度情報に基づいて歩行または走行のピッチを測定する。ショックスイッチ１７２は、走行検出部１５０が測定したピッチをベースピッチとして設定するトリガーである衝撃を検出し、当該衝撃を検出したときにトリガーを示す信号を出力する。処理部１１０は、ショックスイッチ１７２がトリガーを示す信号を出力したときに走行検出部１５０が測定したピッチを歩行や走行の基準であるベースピッチとして設定する。表示部１２１と音声出力部１２２は、処理部１１０がベースピッチとして設定したピッチを報知する。【選択図】図２
2015068773.tif 000002
【特許請求の範囲】
【請求項１】
歩行または走行のピッチを測定する測定部と、
前記測定部が測定したピッチを基準として設定するトリガーを検出し、当該トリガーを検出したときに信号を出力する検出部と、
前記検出部が信号を出力したときに前記測定部が測定したピッチを基準として設定する設定部と、
前記設定部が基準として設定したピッチを報知する報知部と、
を備える電子機器。
【請求項２】
前記検出部は、前記電子機器の有する筐体に与えられる衝撃を前記トリガーとして検出する請求項１に記載の電子機器。
【請求項３】
前記検出部は、所定時間内に複数回与えられるトリガーを検出し、当該複数回与えられるトリガーのうち最後のトリガーを検出したときに信号を出力する請求項１または２に記載の電子機器。
【請求項４】
電子機器におけるピッチ設定方法において、
測定部が、歩行または走行のピッチを測定する測定過程と、
検出部が、前記測定部が測定したピッチを基準として設定するトリガーを検出し、当該トリガーを検出したときに信号を出力する検出過程と、
設定部が、前記検出部が信号を出力したときに前記測定部が測定したピッチを基準として設定する設定過程と、
報知部が、前記設定部が基準として設定したピッチを報知する報知過程と、
を有するピッチ設定方法。
【請求項５】
電子機器のコンピュータに、
歩行または走行のピッチを測定する測定手順、
前記測定手順において測定されたピッチを基準として設定するトリガーを示す信号を検出する検出手順、
前記検出手順において信号が検出されたときに前記測定手順において測定されたピッチを基準として設定する設定手順、
前記設定手順において基準として設定されたピッチを報知する報知手順、
を実行させるためのピッチ設定プログラム。
【発明の詳細な説明】
【技術分野】
【０００１】
本発明は、電子機器、ピッチ設定方法、及びピッチ設定プログラムに関する。
【背景技術】
【０００２】
以下、歩行や走行における動きの速さをピッチと表現することがある。ピッチの単位は、単位時間当たりの歩数で表される。従来、歩行や走行において基準となるピッチ（「ベースピッチ」とも称する）を、音や表示で示すことで、移動速度の維持や計画的な運動を補助する電子機器がある（例えば、特許文献１参照）。また、これに関連して、特許文献２は、歩行時及び走行時の歩数を測定可能な歩数計を提供している。
【先行技術文献】
【特許文献】
【０００３】
【特許文献１】特開平６−２４９９７７号公報
【特許文献２】特開２００８−０７６２１０号公報
【発明の概要】
【発明が解決しようとする課題】
【０００４】
しかしながら、従来の技術では、ユーザは、電子機器に記憶されている様々なピッチのデータから、ベースピッチを手動で選択しなくてはならない場合があった。また、ユーザは、ベースピッチを変更するためには一旦運動を停止し、電子機器を操作しなければならなかった。このように、ユーザは、歩行や走行中に任意のタイミングで、その時の歩行や走行のピッチをベースピッチとして設定し、ベースピッチを報知させることはできなかった。
【０００５】
本発明は上記の点に鑑みてなされたものであり、歩行や走行中にユーザの任意のタイミングで、その時の歩行や走行のピッチをベースピッチとして設定し、ベースピッチを報知するための電子機器、ピッチ設定方法、及びピッチ設定プログラムを提供する。
【課題を解決するための手段】
【０００６】
本発明は上記の課題を解決するためになされたものであり、本発明の一態様は、歩行または走行のピッチを測定する測定部と、前記測定部が測定したピッチを基準として設定するトリガーを検出し、当該トリガーを検出したときに信号を出力する検出部と、前記検出部が信号を出力したときに前記測定部が測定したピッチを基準として設定する設定部と、前記設定部が基準として設定したピッチを報知する報知部と、を備える電子機器である。
【０００７】
また、本発明の一態様は、電子機器におけるピッチ設定方法であって、測定部が、歩行または走行のピッチを測定する測定過程と、検出部が、前記測定部が測定したピッチを基準として設定するトリガーを検出し、当該トリガーを検出したときに信号を出力する検出過程と、設定部が、前記検出部が信号を出力したときに前記測定部が測定したピッチを基準として設定する設定過程と、報知部が、前記設定部が基準として設定したピッチを報知する報知過程と、を有するピッチ設定方法である。
【０００８】
また、本発明の一態様は、電子機器のコンピュータに、歩行または走行のピッチを測定する測定手順、前記測定手順において測定されたピッチを基準として設定するトリガーを示す信号を検出する検出手順、前記検出手順において信号が検出されたときに前記測定手順において測定されたピッチを基準として設定する設定手順、前記設定手順において基準として設定されたピッチを報知する報知手順、を実行させるためのピッチ設定プログラムである。
【発明の効果】
【０００９】
本発明によれば、電子機器は、歩行や走行中にユーザの任意のタイミングで、その時の歩行や走行のピッチをベースピッチとして設定することができる。
【図面の簡単な説明】
【００１０】
【図１】本発明の実施形態に係る腕時計の使用環境を説明する外観図である。
【図２】本実施形態に係る腕時計の構成の一例を示したブロック図である。
【図３】本実施形態に係るベースピッチの設定と報知の具体的な処理手順の一例を示したフローチャートである。
【発明を実施するための形態】
【００１１】
以下、図面を参照しながら本発明の実施形態について詳述する。本実施形態では電子機器の一例として、腕部装着型の電子機器である腕時計の例を用いて説明する。図１は、本実施形態に係る腕時計の使用環境を説明する外観図である。腕時計１００は、ユーザ２００の左手首付近に装着されている。ユーザ２００は、任意の速度で走行している。腕時計１００は、加速度センサを備えている。腕時計１００は、加速度センサが検出した加速度に関する加速度情報に基づいて、腕の動きだけでなく、走行時の着地に伴う動きなど、体全体の動きも検出することができる。腕時計１００は、検出したユーザ２００の動きを解析し、歩行や走行のピッチを検出することができる。
【００１２】
腕時計１００は、機械式スイッチを備えている。ユーザ２００は、当該機械式スイッチのボタンを押下することで、ストップウォッチ機能や腕時計１００の設定、動作モードの切り替えなど、種々の機能を操作することができる。腕時計１００は、走行の情報収集と表示に特化したクロノグラフモードを備えている。ユーザ２００は、クロノグラフモードでも、機械式スイッチを操作することで、歩行や走行のスプリットタイム計測やラップタイム計測など、種々の機能を利用することができる。
【００１３】
ピッチの測定や報知を行うときは、ユーザ２００は、腕時計１００をクロノグラフモードで動作させる。腕時計１００がクロノグラフモードで動作している間、腕時計１００は随時ピッチを測定する。以下、当該随時測定されるピッチを「現在のピッチ」と呼ぶことがある。腕時計１００は、ショックスイッチを搭載している。クロノグラフモードにおいて、ユーザ２００が腕時計１００を叩くと、腕時計１００は、設定されているベースピッチに基づいた音（「ピッチ音」とも称する）を再生する。ピッチ音は、例えば、ベースピッチの逆数として算出される歩行や走行の一歩一歩の時間間隔毎に出力される音である。なお、ピッチ音の時間間隔は、２歩毎や４歩毎など複数歩毎でもよい。
【００１４】
また、腕時計１００は、表示部に走行関連情報を表示する。走行関連情報は、例えば、スプリットタイムやラップタイム、歩数、現在のピッチ、ベースピッチ、移動速度、移動距離などである。ユーザ２００が腕時計１００を２回叩くと、腕時計１００は、現在のピッチをベースピッチとして設定する。従って、ユーザ２００は、任意のタイミングで、現在のピッチをベースピッチとして設定し、ベースピッチを知ることができる。なお、本実施形態に記載の衝撃とは、ショックスイッチを動作させるのに足る、腕時計１００の外部からの力である。例えば、腕時計１００を指や手で叩く（打つ、弾く）ことの他に、腕時計１００の筐体（ケース）を押したりすることでも衝撃になりうる。
【００１５】
図２は、本実施形態に係る腕時計１００の構成の一例を示したブロック図である。腕時計１００は、処理部１１０（設定部）と、表示部１２１（報知部）と、音声出力部１２２（報知部）と、記憶部１３０と、電源１４０と、走行検出部１５０（測定部）と、加速度センサ１６０と、機械式スイッチ１７１と、ショックスイッチ１７２（検出部）と、分周部１８０と、水晶発振部１９０とを備える。
【００１６】
処理部１１０は、腕時計１００が備える各部の制御を行う中央処理装置である。例えば、処理部１１０は、機械式スイッチ１７１から入力されたモードの切り替えを指示するモード切替信号に基づいて、腕時計１００をクロノグラフモードで動作させる。また、処理部１１０は、走行検出部１５０を制御し、ピッチの測定を行わせる。また、処理部１１０は、走行関連情報を記憶部１３０に記憶する。また、処理部１１０は、走行関連情報を表示部１２１に表示させる。また、処理部１１０は、走行関連情報に基づいて、ピッチ音を音声出力部１２２から再生させる。
【００１７】
表示部１２１は、例えば、液晶ディスプレイであり、時刻や走行関連情報などを表示する。音声出力部１２２は、圧電素子を備える。音声出力部１２２において圧電素子は、音声データに基づいた電圧を印加される。圧電素子は、電圧を印加されることで振動し、電子音（ブザー）を出力する。記憶部１３０は、ＲＯＭ（Ｒｅａｄ  Ｏｎｌｙ  Ｍｅｍｏｒｙ、読み出し専用メモリ）やＲＡＭ（Ｒａｎｄｏｍ  Ａｃｃｅｓｓ  Ｍｅｍｏｒｙ、ランダムアクセスメモリ）から構成される。記憶部１３０は、走行関連情報や時刻、プログラム、測定結果など腕時計１００の動作に必要な情報を記憶する。電源１４０は、腕時計１００が備える各部に電力を供給する。
【００１８】
加速度センサ１６０は、加速度情報を検出する。走行検出部１５０は、加速度センサ１６０が検出した加速度情報に基づいてピッチを測定する。なお、加速度センサ１６０は、歩行や走行に関する体の動きに基づく加速度だけでなく、筐体に与えられる衝撃に基づく加速度も加速度情報として検出しうる。走行検出部１５０は、加速度センサ１６０が検出した加速度情報から、歩行や走行に基づく加速度を判別する。例えば、歩行や走行は、腕の振りと着地動作を伴う体の動きであるが、腕の振りや着地動作によって検出される加速度情報の基本形と特徴は既に分かっている。従って、走行検出部１５０は、加速度センサ１６０が検出した加速度情報から、これら歩行や走行に伴う体の動きに基づく加速度を抽出し、ピッチを測定することができる。なお、走行検出部１５０は、特定の方法に限定せずにピッチを測定してよい。ピッチの測定には、例えば、特許文献２に記載の技術の他、公知の技術が幅広く適用できる。
【００１９】
機械式スイッチ１７１は、ボタンを備えている。機械式スイッチ１７１は、ボタンが押下されたことを検出し、処理部１１０に信号を出力する。機械式スイッチ１７１は、複数備えられていてもよく、複数の機械式スイッチ１７１各々に、腕時計１００の複数の機能各々を操作する機能が与えられていてもよい。なお、腕時計１００の複数の機能とは、例えば、スプリットタイムの計測やラップタイムの計測、表示の切り替え、動作モードの切り替え、腕時計１００の設定などの機能である。
【００２０】
ショックスイッチ１７２は、圧電素子を備え、衝撃を検出する。圧電素子は、例えば、腕時計１００の底板部に接触して配置される。底板部は、腕時計１００のの有する筐体の底部に位置し、底板部の上部には、処理部１１０や表示部１２１、電源１４０などが積層配置されている。これらの構成要素は単一の筐体で覆われており、当該筐体と底板部は接着されている。そのため、例えば、腕時計１００に対して外部から衝撃が加わると、筐体を介して底板部に衝撃が伝達される。圧電素子は、底板部に伝達された衝撃によって歪む。圧電素子は、歪みに応じてその両極に電位差を生じさせ、電子回路を動作させる。このように、圧電素子は、与えられた衝撃に基づいて、処理部１１０へ電気信号を出力することで、衝撃を検出することができる。なお、ショックスイッチ１７２の圧電素子は、アラームやスイッチ操作、あるいはベースピッチなどを電子音で報知する音声出力部１２２を構成してもよい。
【００２１】
水晶発振部１９０は、所定周波数の信号を出力する。分周部１８０は、水晶発振部１９０の出力信号を所定分周比で分周して処理部１１０用の基準クロック信号や計時用の時計信号を出力する。
【００２２】
図３は、本実施形態に係るベースピッチの設定と報知の具体的な処理手順の一例を示したフローチャートである。本実施形態では、処理部１１０が、腕時計１００の動作モードをクロノグラフモードに切り替えることで、図３に示す処理が開始される。
（ステップＳ３０１）処理部１１０は、走行検出部１５０にピッチ測定の開始信号を出力する。走行検出部１５０は、処理部１１０から入力されたピッチ測定の開始信号に基づいて、ピッチの測定を開始する。具体的には、走行検出部１５０は、加速度センサ１６０から加速度情報を取得する。走行検出部１５０は、取得した加速度情報に基づいてピッチの測定を行う。走行検出部１５０は、測定したピッチに関するピッチ情報を処理部１１０に出力する。その後、ステップＳ３０２に遷移する。なお、走行検出部１５０は、腕時計１００がクロノグラフモードで動作している間、随時ピッチを繰り返し測定し、測定したピッチに関するピッチ情報を処理部１１０に出力する。
【００２３】
（ステップＳ３０２）処理部１１０は、走行検出部１５０から入力された最新のピッチ情報に基づいて、現在のピッチの表示データを生成する。処理部１１０は、生成した表示データを表示部１２１に出力する。表示部１２１は、処理部１１０から入力された表示データに基づいて、現在のピッチを表示する。その後、ステップＳ３０３に遷移する。なお、処理部１１０は、腕時計１００がクロノグラフモードで動作している間、走行検出部１５０から随時入力される最新のピッチ情報に基づいて、現在のピッチの表示を更新する。
【００２４】
（ステップＳ３０３）処理部１１０は、ショックスイッチ１７２から衝撃（「第１の衝撃」とも称する）に基づく信号が入力されたかどうかを判定する。第１の衝撃に基づく信号が入力された場合（ＹＥＳ）、ステップＳ３０４に遷移する。第１の衝撃に基づく信号が入力されていない場合（ＮＯ）、ステップＳ３０３に戻る。
（ステップＳ３０４）処理部１１０は、現在の時刻を記憶部１３０に記憶する。その後、ステップＳ３０５に遷移する。
（ステップＳ３０５）処理部１１０は、ステップＳ３０４において記憶部１３０に記憶された時刻から所定時間が経過したかどうかを判定する。所定時間が経過している場合（ＹＥＳ）、ステップＳ３０８に遷移する。所定時間が経過していない場合（ＮＯ）、ステップＳ３０６に遷移する。
【００２５】
（ステップＳ３０６）処理部１１０は、ショックスイッチ１７２から衝撃（「第２の衝撃」とも称する）に基づく信号が入力されたかどうかを判定する。第２の衝撃に基づく信号が入力された場合（ＹＥＳ）、ステップＳ３０７に遷移する。第２の衝撃に基づく信号が入力されていない場合（ＮＯ）、ステップＳ３０５に戻る。なお、本実施形態において、衝撃は、走行検出部１５０が測定したピッチをベースピッチとして設定するトリガーである。
（ステップＳ３０７）処理部１１０は、走行検出部１５０が最後に測定したピッチを、歩行や走行の基準であるベースピッチとして設定する。具体的には、処理部１１０は、走行検出部１５０から入力された最新のピッチ情報を、ベースピッチに関するベースピッチ情報として記憶部１３０に記憶する。その後、ステップＳ３０８に遷移する。
【００２６】
（ステップＳ３０８）処理部１１０は、記憶部１３０に記憶されたベースピッチ情報に基づいて、ベースピッチの表示データを生成する。処理部１１０は、生成した表示データを表示部１２１に出力する。表示部１２１は、処理部１１０から入力された表示データに基づいて、ベースピッチを表示する。その後、ステップＳ３０３に戻る。
（ステップＳ３０９）処理部１１０は、記憶部１３０に記憶されたベースピッチ情報に基づいて、ベースピッチの表示データを生成する。処理部１１０は、生成した表示データを表示部１２１に出力する。表示部１２１は、処理部１１０から入力された表示データに基づいて、ベースピッチを表示する。その後、ステップＳ３１０に遷移する。
（ステップＳ３１０）処理部１１０は、記憶部１３０に記憶されたベースピッチ情報に基づいて、歩行や走行の１歩毎の時間間隔を算出する。処理部１１０は、算出した当該１歩毎の時間間隔で音を出力するピッチ音の音データを生成する。処理部１１０は、生成した音データを音声出力部１２２に出力する。音声出力部１２２は、処理部１１０から入力された音データに基づいて、ピッチ音を再生する。なお、ピッチ音の再生時間は、ユーザ２００が任意に設定してよい。ここでは一例として、音声出力部１２２は、２０秒間ピッチ音を再生する。その後、ステップＳ３０３に戻る。
【００２７】
なお、上記処理の途中で機械式スイッチ１７１から、処理部１１０にモードの切替信号が入力された場合、処理部１１０は、走行検出部１５０にピッチ測定の終了信号を出力する。走行検出部１５０は、処理部１１０から入力されたピッチ測定の終了信号に基づいて、ピッチの測定を終了する。処理部１１０は、モード切替信号に基づいて腕時計１００を、クロノグラフモードから他のモードに切り替えて動作させる。
【００２８】
走行検出部１５０がピッチの測定に用いる加速度情報は、例えば、過去１０秒間に測定されたものである。この場合、ユーザ２００が６０歩／分でゆっくり移動していたとしても、１０歩分の加速度情報からピッチを測定するため、走行検出部１５０は、高い精度でピッチを測定できる。また、走行検出部１５０は、例えば、過去５秒間など、より短い時間に測定された加速度情報からピッチを測定してもよい。この場合、ピッチの変化を速やかに表示に反映させることができる。また、走行検出部１５０は、ピッチの測定に利用する加速度情報の長さの基準として、時間の他に、歩数を利用してもよい。例えば、走行検出部１５０は、１０歩分の加速度情報を使用して、ピッチを測定してもよい。
【００２９】
本実施形態では、クロノグラフモードにおいて、走行検出部１５０は、随時ピッチの測定を行っている。そのため、腕時計１００は、現在のピッチを表示部１２１に表示しつつ、その表示を随時更新することができる。従って、例えば、ステップＳ３０７において、処理部１１０は、ショックスイッチ１７２から第２の衝撃に基づく信号が入力されたときに表示部１２１に表示されている現在のピッチに関するピッチ情報を、ベースピッチ情報として記憶部１３０に記憶する。こうすることで、ユーザ２００は、表示部１２１に表示されている現在のピッチを見ながら、客観的にピッチを判断し、ベースピッチとして設定することができる。
【００３０】
また、ステップＳ３０７において、処理部１１０は、ショックスイッチ１７２から第２の衝撃に基づく信号が入力された後に測定された現在のピッチを、ベースピッチとして設定してもよい。こうすることで、ユーザ２００は、坂道に差し掛かるなど、走行環境の変化によりペースが変わることが見込まれる場合であっても、事前にベースピッチの変更を予約し、適切なベースピッチを報知させることができる。
【００３１】
ステップＳ３０５における所定時間は、数秒程度であり、ユーザ２００が任意に設定してよい。具体的には、例えば、２秒程度が適している。このとき、ユーザ２００は、ピッチ音を再生したいときは、腕時計１００の筐体に衝撃を１回与えれば良く、ベースピッチを設定したいときは、２秒以内に腕時計１００の筐体に衝撃を２回与えれば良い。従って、腕時計１００をぶつけてしまうなど、ユーザ２００の意図に反して腕時計１００の筐体に衝撃が与えられたとしても、腕時計１００は、ベースピッチが誤って設定されることを防ぐことができる。上記所定時間を短く設定すると、ベースピッチが誤設定される確率はさらに低くなるが、ユーザ２００は、短い間隔で腕時計１００の筐体に連続した衝撃を入力しなくてはならない。従って、腕時計１００の操作性が悪化する。
【００３２】
なお、ユーザ２００は、腕時計１００を１回叩くだけで、現在のピッチをベースピッチとして設定するようにしてもよい。このとき、図３のステップＳ３０３における判定では、ショックスイッチ１７２から衝撃に基づく信号が入力された場合（ＹＥＳ）、ステップＳ３０７に遷移する。こうすることで、ユーザ２００は、腕時計１００を１回叩くだけで、現在のピッチをベースピッチとして設定することができる。従って、ユーザ２００は、少ない操作でベースピッチを設定することができる。
【００３３】
なお、腕時計１００は、衝撃以外のトリガーを検出して、現在のピッチをベースピッチとして設定してもよい。例えば、処理部１１０は、機械式スイッチのボタン操作やユーザ２００の声に基づく信号が入力されたときに、現在のピッチに関するピッチ情報をベースピッチ情報として、記憶部１３０に記憶する。このように、腕時計１００は、現在のピッチをベースピッチとして設定するトリガーを、衝撃以外にも様々な方法で与えられてもよい。
【００３４】
なお、腕時計１００は、映像や音声以外の手段でユーザ２００にベースピッチを報知してもよい。別の報知手段としては、例えば、振動などが考えられる。この場合、腕時計１００は、例えば、携帯電話機などに搭載されているバイブレーション機能を備える。処理部１１０は、上記の音声出力部１２２によるピッチ音の再生と同様に、ベースピッチの逆数として算出される一歩毎の時間間隔で腕時計１００を振動させる。これにより、例えば、ユーザ２００は、イヤホンで音楽を聴きながら歩行や走行を行っている場合でも、ベースピッチを知ることができる。また、ユーザ２００は、ピッチ音を再生することが憚られるような環境や、周囲が騒がしく、ピッチ音が聞こえにくいような状況でも、ベースピッチを知ることができる。
【００３５】
以上により、本実施形態によると、加速度センサ１６０は、加速度に関する加速度情報を検出する。走行検出部１５０は、加速度情報に基づいて歩行または走行のピッチを測定する。ショックスイッチ１７２は、走行検出部１５０が測定したピッチをベースピッチとして設定するトリガーである衝撃を検出し、当該衝撃を検出したときにトリガーを示す信号を出力する。処理部１１０は、ショックスイッチ１７２がトリガーを示す信号を出力したときに走行検出部１５０が測定したピッチを歩行や走行の基準であるベースピッチとして設定する。表示部１２１と音声出力部１２２は、処理部１１０がベースピッチとして設定したピッチを報知する。
【００３６】
これにより、腕時計１００は、歩行や走行中にユーザ２００の任意のタイミングで、現在のピッチをベースピッチとして設定し、ベースピッチを報知することができる。従って、ユーザ２００は、運動中に停止することなく、望むピッチをベースピッチに容易に設定することができる。また、ユーザ２００は、上り坂や下り坂などの走行環境の変化に合わせてベースピッチを変えたいときや、走行ペースの変化に合わせてベースピッチを変えたいときであっても、任意のタイミングでベースピッチを設定し、設定したベースピッチに合わせて走行することができる。
【００３７】
また、ショックスイッチ１７２は、前記電子機器の有する筐体に与えられる衝撃をトリガーとして検出し、処理部１１０にトリガーを示す信号を出力する。そのため、ユーザ２００は、ボタンを操作しにくい歩行や走行中であっても、腕時計１００を叩くという簡単な操作で、ベースピッチを設定し、ベースピッチを知ることができる。従って、ユーザ２００は、ボタンを探したり、ボタンの位置を確認するために目視したりする必要がない。
【００３８】
また、ショックスイッチ１７２は、所定時間内に２回与えられる衝撃（トリガー）を検出し、当該２回与えられる衝撃のうち最後の衝撃を検出したときにトリガーを示す信号を出力する。従って、ユーザ２００が意図せずに腕時計１００をぶつけてしまったとしても、腕時計１００は、ベースピッチが誤って更新されることを防ぐことができる。
【００３９】
以上、電子機器が腕時計である場合を例にとって説明したが、本発明の実施形態は、これには限られない。上述した実施形態において、例えば、電子機器は、計時機能を備えた歩数計であってもよい。歩数計にはピッチを測定したり、報知したりできるものがある。このような歩数計は、与えられた衝撃を検出することで、ピッチの測定や報知を制御してもよい。歩数計の場合、例えば、衣服のポケットに入れたまま、ピッチを測定するという実施形態が考えられる。ポケットの中に入れられた歩数計は、腕部に装着された腕時計に比べて、機器外部との接触が多く、意図しない衝撃を検出しやすい。しかし、圧電素子によるショックスイッチの感度は、調節することができる。そのため、ショックスイッチは、歩数計と外部との接触による弱い衝撃を検出せずに、ユーザから明確に与えられる衝撃を検出することができる。従って、ユーザは、歩数計をポケットに入れたままであっても、ポケットの上から衝撃を与えることで、ベースピッチを設定し、ベースピッチを知ることができる。
【００４０】
なお、上述した実施形態における腕時計１００が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器などのハードウェアを含むものとする。
【００４１】
また、「コンピュータ読み取り可能な記録媒体」とは、フレキシブルディスク、光磁気ディスク、ＲＯＭ、ＣＤ−ＲＯＭなどの可搬媒体、コンピュータシステムに内蔵されるハードディスクなどの記憶部のことをいう。さらに「コンピュータ読み取り可能な記録媒体」とは、インターネットなどのネットワークや電話回線などの通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【００４２】
以上、本発明の実施形態について説明したが、本発明は、上記実施形態に限定されるものではなく、本発明の趣旨を逸脱しない範囲において種々の変更を加えることが可能である。
【符号の説明】
【００４３】
１００・・・腕時計、１１０・・・処理部（設定部）、１２１・・・表示部（報知部）、１２２・・・音声出力部（報知部）、１３０・・・記憶部、１４０・・・電源、１５０・・・走行検出部（測定部）、１６０・・・加速度センサ、１７１・・・機械式スイッチ、１７２・・・ショックスイッチ（検出部）、１８０・・・分周部、１９０・・・水晶発振部、２００・・・ユーザ
【図１】
2015068773.tif 000003
【図２】
2015068773.tif 000004
【図３】
2015068773.tif 000005